(57)【特許請求の範囲】
【請求項１】
吐出室、吸入室およびクランク室を備え、前記吐出室から前記クランク室に連通可能な吐出圧力供給通路の途上に容量制御弁を配置し、前記クランク室から前記吸入室に連通する圧力逃がし通路の途上に固定オリフィス部を設け、前記容量制御弁を開閉制御してクランク室の圧力を調整し、ピストンストロークを制御する可変容量圧縮機において、前記容量制御弁は、前記吸入室の圧力またはクランク室の圧力を感知して伸縮する感圧部材と、該感圧部材に一端が当接し、該感圧部材の伸縮に応じて前記吐出圧力供給通路に形成された弁孔を開閉する弁部を備えた弁体と、前記弁部が配置され、前記クランク室の圧力が作用する弁室と、前記弁体の軸方向途中において弁体の周囲に配設された隔壁と、該隔壁により前記弁室と隔成され、前記吸入室の圧力が作用する圧力室と、前記弁体の他端側に設けられ、電磁力の増減により前記弁部の開度を制御可能なソレノイド部とを有し、前記隔壁配設部に、前記弁室から前記圧力室への流路を形成し、前記弁体の軸方向の動きに対し摺動抵抗を与えない非接触構造を構成する隙間を設けたことを特徴とする可変容量圧縮機。
【請求項２】
前記隙間が前記固定オリフィス部を形成している、請求項１の可変容量圧縮機。
【請求項３】
前記隔壁が、前記容量制御弁の弁ケーシング側に固定され、該隔壁の内周面と前記弁体の外周面との間に前記隙間が形成されている、請求項１または２の可変容量圧縮機。
【請求項４】
前記隔壁が、前記弁体に固定され、該隔壁の外周面と前記容量制御弁の弁ケーシングの内周面との間に前記隙間が形成されている、請求項１または２の可変容量圧縮機。
【請求項５】
前記ソレノイド部が、電磁力を発生させるために励起される電磁コイルと、該電磁コイルの励起により磁力を生じる固定鉄心と、該固定鉄心の磁力により固定鉄心側に吸着、移動されるプランジャーとを有し、前記弁体の他端がプランジャーに固定され、該プランジャーが弁体の軸方向に摺動可能に保持されているとともに、前記固定鉄心と前記弁体との間には、弁体の軸方向の動きに対し摺動抵抗を与えない非接触構造を構成する隙間が形成されている、請求項１〜４のいずれかに記載の可変容量圧縮機。
【発明の詳細な説明】
【０００１】
【発明の属する技術分野】
本発明は、車両用空調装置等に使用される可変容量圧縮機に関し、とくに、容量制御弁部の円滑で信頼性の高い作動が得られ、かつ、圧縮機全体としての加工の簡略化も可能な可変容量圧縮機に関する。
【０００２】
【従来の技術】
車両用空調装置等の冷凍回路に設けられる可変容量圧縮機としてたとえば特開平１１−１０７９２９号公報に開示されているようなものが知られている。この可変容量圧縮機には、その吐出容量を制御するために、電磁アクチュエータの通電量に対して吸入室圧力制御点が一義的にきまり、かつ通電しない状態では可変容量圧縮機を強制的に最小容量に維持できる容量制御弁が設けられている。
【０００３】
この容量制御弁は、図４に示すような構成を有しており、弁ケーシング１１１と、弁ケーシング１１１内に配設され、内部を真空にしてばね１１２ａを配置した、吸入室またはクランク室の圧力を感知する感圧部材としてのベローズ１１２と、ベローズ１１２の下端を受け、弁ケーシング１１１に移動可能なように支持されたガイド１１３と、ガイド１１３を上方に付勢するばね１１４と、ベローズ１１２の伸縮量を調整し、弁ケーシング１１１の一部を構成する調整ネジ１１５と、ベローズ１１２の上端に当接して弁ケーシング１１１に移動可能なように支持された伝達ロッド１１６と、伝達ロッド１１６の他端に当接し、ベローズ１１２の伸縮に応じて可変容量圧縮機の吐出室とクランク室との間の連通路１１７を開閉する弁体１１８と、この弁体１１８を、ハウジング１１０内を摺動されるプランジャー１１９および固定鉄心１２１ａ内を摺動される伝達ロッド１２０を介して閉弁方向に付勢する電磁力を発生させる電磁コイル１２１とから構成されている。
【０００４】
また、弁体１１８の弁座に当接する当接面１１８ａとは反対側の面１１８ｂは、導圧路１２２によってクランク室の圧力を受圧するように構成されている。弁体１１８の当接面１１８ａ側のクランク室圧力受圧面積と、これとは反対側の面１１８ｂのクランク室圧力受圧面積とは、同等に設定されている。また、弁体１１８の側面１１８ｃは、弁ケーシング１１１に移動可能なように支持され、かつ、側面１１８ｃと弁ケーシング１１１の内周面との隙間は極小に設定されており、この部分では弁体１１８が軸方向に実質的に摺動されるようになっている。
【０００５】
【発明が解決しようとする課題】
上記のような可変容量圧縮機の容量制御弁機構においては、弁体１１８を軸方向に移動制御することにより、クランク室の圧力を制御し、それによって吐出容量を制御できるようになっているが、この弁体１１８の軸方向に移動制御機構には、伝達ロッド１１６と弁ケーシング１１との間、弁体１１８の側面１１８ｃと弁ケーシング１１との間、伝達ロッド１２０と固定鉄心１２１ａとの間、プランジャー１１９とハウジング１１０との間の、合計４つの摺動部が存在している。したがって、弁体１１８を軸方向に移動制御する際には、それぞれの摺動部に摺動抵抗が発生するので、これら摺動抵抗が大きいと、弁体１１８の動きを悪化させるおそれがある。また、同軸方向に４つの摺動部が配列することになるので、それぞれの摺動部を軸ずれなく高精度に所定の位置関係に保つことが難しい場合もあり、この面からも摺動抵抗が大きくなるおそれがある。このような摺動抵抗により弁体１１８の動きが悪化すると、可変容量圧縮機の円滑な吐出容量制御が阻害されるおそれがある。
【０００６】
そこで本発明の課題は、上記のような問題点に着目し、容量制御弁の弁体の移動に伴う摺動抵抗を低減し、円滑な吐出容量制御を行うことが可能な可変容量圧縮機を提供することにある。
【０００６】
さらに本発明は、上記摺動抵抗の低減構造に加え、従来シリンダブロック側あるいはその近傍に形成され、クランク室から吸入室に連通する圧力逃がし通路の途上に設けられていた固定オリフィス部を、容量制御弁内に形成することを可能ならしめ、それによって加工の簡略化、とくにシリンダブロック側の加工の簡略化も可能とする構造を提供する。
【０００７】
【課題を解決するための手段】
上記課題を解決するために、本発明に係る可変容量圧縮機は、吐出室、吸入室およびクランク室を備え、前記吐出室から前記クランク室に連通可能な吐出圧力供給通路の途上に容量制御弁を配置し、前記クランク室から前記吸入室に連通する圧力逃がし通路の途上に固定オリフィス部を設け、前記容量制御弁を開閉制御してクランク室の圧力を調整し、ピストンストロークを制御する可変容量圧縮機において、前記容量制御弁は、前記吸入室の圧力またはクランク室の圧力を感知して伸縮する感圧部材と、該感圧部材に一端が当接し、該感圧部材の伸縮に応じて前記吐出圧力供給通路に形成された弁孔を開閉する弁部を備えた弁体と、前記弁部が配置され、前記クランク室の圧力が作用する弁室と、前記弁体の軸方向途中において弁体の周囲に配設された隔壁と、該隔壁により前記弁室と隔成され、前記吸入室の圧力が作用する圧力室と、前記弁体の他端側に設けられ、電磁力の増減により前記弁部の開度を制御可能なソレノイド部とを有し、前記隔壁配設部に、前記弁室から前記圧力室への流路を形成し、前記弁体の軸方向の動きに対し摺動抵抗を与えない非接触構造を構成する隙間を設けたことを特徴とするものからなる。
【０００８】
すなわち、この隔壁部分に存在していた従来の摺動部を廃止し、非接触の隙間構造として、この隙間を前記弁室から前記圧力室への流路として積極的に利用する構成である。これによって、前述の如く従来４つも存在していた摺動部を確実に少なくとも１つ減らすことができる。
【０００９】
この可変容量圧縮機においては、上記隙間を上記固定オリフィス部として形成することができ、これによって、固定オリフィス部を容量制御弁内に形成して、他の場所に形成する必要がなくなる。
【００１０】
また、上記隔壁としては、容量制御弁の弁ケーシング側に固定され、該隔壁の内周面と上記弁体の外周面との間に上記隙間が形成されている構成とすることもできるし、隔壁が、弁体に固定され、該隔壁の外周面と容量制御弁の弁ケーシングの内周面との間に上記隙間が形成されている構成とすることもできる。
【００１１】
さらに、上記ソレノイド部としては、電磁力を発生させるために励起される電磁コイルと、該電磁コイルの励起により磁力を生じる固定鉄心と、該固定鉄心の磁力により固定鉄心側に吸着、移動されるプランジャーとを有するものとし、この構造において、前記弁体の他端がプランジャーに固定され、該プランジャーが弁体の軸方向に摺動可能に保持されているとともに、前記固定鉄心と前記弁体との間には、弁体の軸方向の動きに対し摺動抵抗を与えない非接触構造を構成する隙間が形成されている構造を採用することが好ましい。これによって、前述の如く従来固定鉄心内とプランジャー部とにそれぞれ存在していた摺動部が、プランジャーの摺動部のみとなる。したがってこの構造では、従来４つも存在していた摺動部が、合計２つとなり、つまり、プランジャーまで含めた弁体の軸方向延設部分において、両端部における２つの摺動箇所（２点支持）となり、支持機構の原理からも、弁体の円滑な移動動作が確保されることになる。
【００１２】
このように本発明に係る可変容量圧縮機においては、隔壁部に非接触の隙間構造を形成してこの部分で摺動抵抗が発生することを防止し、かつ、ソレノイド部側でも、摺動部の数を低減可能であるので、弁体の動きに伴う摺動抵抗を大幅に低減することができ、弁体を円滑に作動させてスムーズな吐出容量制御を行うことが可能となる。
【００１３】
また、隔壁部における隙間を固定オリフィス部として形成可能であるため、圧縮機の別の場所に固定オリフィス部を設ける必要がなくなり、シリンダブロック等の加工の簡略化も可能となる。
【００１４】
【発明の実施の形態】
以下に、本発明の望ましい実施の形態を、図面を参照しながら説明する。
図１は、本発明の第１実施態様に係る可変容量圧縮機を示しており、図２は、その容量制御弁部を示している。まず、図１に示した可変容量圧縮機の全体構成について説明する。
【００１５】
図１において、可変容量圧縮機５０は、複数のシリンダボア５１ａを備えたシリンダブロック５１と、シリンダブロック５１の一端に設けられたフロントハウジング５２と、シリンダブロック５１に弁板装置５４を介して設けられたリアハウジング５３とを備えている。シリンダブロック５１と、フロントハウジング５２とによって形成されるクランク室５５内を横断して、駆動軸としての圧縮機主軸５６が設けられ、その中央部の周囲には、斜板５７が配置されている。斜板５７は、圧縮機主軸５６に固着されたロータ５８と連結部５９を介して結合している。
【００１６】
圧縮機主軸５６の一端は、フロントハウジング５２の外側に突出したボス部５２ａ内を貫通して、外側まで延在しており、ボス部５２ａの周囲にベアリング６０を介して電磁クラッチ７０が設けられている。電磁クラッチ７０は、ボス部５２ａの周囲に設けられたロータ７１と、ロータ７１内に収容された電磁石装置７２と、ロータ７１の外側一端面に設けられたクラッチ板７３とを備えている。圧縮機主軸５６の一端は、ボルト等の固定部材７４を介してクラッチ板７３と連結している。圧縮機主軸５６とボス部５２ａとの間には、シール部材５２ｂが挿入され、内部と外部とを遮断している。また、圧縮機主軸５６の他端は、シリンダブロック５１内にあり、支持部材７８によって、他端を支持している。なお、符号７５，７６および７７は、軸受を示している。
【００１７】
シリンダボア５１ａ内には、ピストン６２が摺動自在に挿入されており、ピストン６２の内側の一端のくぼみ６２ａ内には、斜板５７の外周部の周囲が収容され、一対のシュー６３を介して、ピストン６２と斜板５７とが互いに連動する構成となっており、斜板５７の回転運動がピストン６２の往復動に変換されるようになっている。
【００１８】
リアハウジング５３には、吸入室６５と吐出室６４が区画されて形成されており、吸入室６５は、シリンダボア５１ａとは、弁板装置５４に設けられた吸入口８１および図示しない吸入弁を介して連通可能となっており、吐出室６４は、シリンダボア５１ａとは、弁板装置５４に設けられた吐出口８２および図示しない吐出弁を介して連通可能となっている。クランク室５５は、圧縮機主軸５６と軸受７７の隙間を介して、圧縮機主軸５６の軸端延長部に形成された気室８４と連通している。
【００１９】
この可変容量圧縮機５０のリアハウジング５３の後壁の窪み内に容量制御弁１が設けられている。この容量制御弁１は、可変容量圧縮機５０の吐出容量（圧縮容量、つまり、ピストン６２のストローク）を制御するために用いられる。容量制御弁１は、吐出室６４からクランク室５５に連通可能な吐出圧力供給通路の途上に配置され、この吐出圧力供給通路の一部が、気室８４への連通路６６、吐出室６４への連通路６８によって形成されている。また、クランク室５５から吸入室６５に連通する圧力逃がし通路が設けられており、その一部が連通路６７によって形成されている。
【００２０】
図２に示すように、容量制御弁１は、弁ケーシング２と、弁ケーシング２内に形成された感圧室３内に配設され、内部を真空にして内外にばね４、５を配置した吸入圧力を感知する感圧部材としてのベローズ６と、ベローズ６の伸縮量を調整し、弁ケーシング２の一部を構成し、吸入室６５への連通路６７に連通する孔７が設けられた調整部材８と、ベローズ６の図中上端に一端が当接して弁ケーシング２に摺動可能に支持された弁体９の伝達ロッド部１０と、弁体９の伝達ロッド部１０の図中上部に一体形成され、ベローズ６の伸縮に応じて可変容量圧縮機５０の吐出室６４とクランク室５５とを連通する連通路６８、６６を開閉する弁部１１と、弁部１１が配置された弁室１２と、弁体９の他端側の伝達ロッド部１３が、摺動抵抗を与えない非接触構造の隙間１４をもって挿通され、弁ケーシング２に固定された隔壁１５と、隔壁１５を間に弁室１２と反対側に隔成され、連通路１６を介して感圧室３側（吸入圧力側）に連通された圧力室１７と、弁体９の伝達ロッド部１３のさらに延長部が、摺動抵抗を与えない非接触構造の隙間１８をもって挿通された固定鉄心１９およびばね２０で固定鉄心１９から離れる方向に付勢され弁体９の他端に固着されたプランジャー２１および電磁力を発生させるために励起される電磁コイル２２を備え、電磁コイル２２の励起による電磁力によって発生する固定鉄心１９の磁力を電磁力の調整により増減させ、固定鉄心１９の磁力によりプランジャー２１に対する弁体軸方向の吸着力を制御してプランジャー２１とともに弁体９の移動を制御するソレノイド部２３とを有している。プランジャー２１および固定鉄心１９は、ハウジング２４内に設けられた筒状部材２５内に収容されており、固定鉄心１９は固着されているが、プランジャー２１は弁体軸方向に摺動可能に支持されている。上記隔壁１５部分に形成された、隔壁１５の内周面と弁体９の外周面との間の隙間１４は、固定オリフィス部を形成している。
【００２１】
弁室１２には、クランク室５５の圧力が作用し、ベローズ６には吸入室６５の圧力が作用し、また、圧力室１７にも感圧室３、連通路１６を介して吸入室６５の圧力が作用している。また、弁体９の弁部１１は、吐出室６４からクランク室５５（弁室１２）を連通する吐出圧力供給通路の途上において該通路を開閉制御する。さらに、隔壁１５部における隙間１４は、クランク室５５（弁室１２）から吸入室６５側（圧力室１７側）に連通する圧力逃がし通路の途上に設けられた固定オリフィス部を形成している。なお、弁体９の伝達ロッド部１０に作用する吐出圧力は、図中の上下にほぼ同等の面積に対して作用するため相殺され、その結果、吐出圧力は弁体９の軸方向にはほとんど作用しないようになっている。したがって、弁体９は、実質的に電磁力とベローズ６に作用する吸入室圧力に応じて開閉制御される。
【００２２】
上記のように構成された容量制御弁１を備えた可変容量圧縮機５０においては、電磁コイル２１に所定の電流を流すと、プランジャー２１と固定鉄心１９の対向面に電磁力が作用し、プランジャー２１を固定鉄心１９側に吸引する力（閉弁方向の力）が作用する。この電磁力があるレベルを越えると、弁部１１が閉弁され、吐出室６４とクランク室５５との連通が遮断される。これにより、吐出室６４のガスはクランク室５５に導入されず、クランク室５５から固定オリフィス部（隙間１４部）を介して吸入室６５に向かうガス流れが発生する。この固定オリフィス部は、ピストン６２がガスを圧縮する際に発生するブローバイガスを吸入室６５側に流すのに必要十分な口径を有しているため、クランク室５５の圧力が低下して吸入室６５の圧力と同等になり、圧縮機は最大容量に維持され、吸入室６５の圧力が徐々に低下する。
【００２３】
吸入室圧力が所定値まで低下すると、ベローズ６が伸長し、弁体９が開く方向に動作するため、吐出室６４のガスがクランク室５５側に導入され、クランク室５５と吸入室６５との圧力差の増加により吐出容量が減少する。これにより、吸入室６５の圧力が上昇すると、ベローズ６が収縮し、弁体９が閉じる方向に動作するため、クランク室５５の圧力が低下し、クランク室５５と吸入室６５との圧力差の減少により、吐出容量が増加する。このようにして、電磁力一定の場合では、吸入室圧力が所定値になるように弁体９の開度が調整され、吐出容量が制御される。
【００２４】
上記の容量制御構成においては、弁体９の隔壁１５挿通部分に形成された隙間１４を流路としているため、この部分のクリアランスを大きくして弁体９と隔壁１５とが容易に非接触構造とされ、この部分には摺動抵抗は発生しない。また、本実施態様では、弁体９の伝達ロッド部１３と固定鉄心１９との間にも、摺動抵抗を与えない非接触構造の隙間１８が形成されているので、この部分にも摺動抵抗は発生しない。したがって、弁体９は、下端側の弁ケーシング２と伝達ロッド部１０との摺動部と、上端側の弁体９に固定されたプランジャー２１と筒状部材２５との摺動部との、合計２箇所の摺動部によって移動可能に支持されていることになる。この摺動部の数としては、従来の合計４箇所の摺動部が存在する場合に比べ、大幅に減少されることになり、弁体９を移動制御する際の摺動抵抗が大幅に低減されて弁体９のスムーズな動きが確保され、弁部１１の開閉作動が、電磁力あるいは吸入圧力の変化に良好に追従して精度良く行われることになる。したがって、より円滑で安定した信頼性の高い吐出容量制御が可能になる。また、弁体９は上下で実質的に２点支持される形態となるので、摺動を行わせるロッド状物の支持形態的にも、安定した形態となる。
【００２５】
また、隔壁１５の内周面と弁体９の外周面との間の隙間１４を固定オリフィス部としたため、圧縮機の別の場所に固定オリフィス部を設ける必要がなくなり、従来構造に比べ、とくにシリンダブロックやその周辺部の加工の簡略化が可能となり、圧縮機全体としても加工の簡略化、コストダウンをはかることができる。
【００２６】
図３は、本発明の第２実施態様に係る可変容量圧縮機の容量制御弁３１を示している。本実施態様においては、弁室１２と圧力室１７とを隔成する隔壁３２が、たとえば圧入によって弁体９に固定され、該隔壁３２の外周面と容量制御弁３１の弁ケーシング３３の内周面との間に、弁室１２から圧力室１７への流路を形成し、弁体９の軸方向の動きに対し摺動抵抗を与えない非接触構造を構成する隙間３４が形成されている。この隙間３４が固定オリフィス部を形成している。また、ベローズ６が収容された感圧室３は、ベローズ６がクランク圧力を感知するよう、クランク室５５へと連通する連通路６６に連通されている。弁室１２は、連通路３５を介して感圧室３に連通されており、それによって弁室１２にクランク室圧力が導入されるようになっている。圧力室１７は、連通路３６を介して、吸入室６５へと連通する連通路６７に連通されており、隔壁３２の圧力室１７側の面は、吸入室側の圧力の受圧面に構成されている。この圧力室１７と、クランク室側圧力が導入される弁室１２との間に、圧力逃がし通路の途上に設けられる固定オリフィス部としての隙間３４が配置されている。その他の構成は、図２に示した構成と実質的に同じであるので、図３に、図２に付したものと同一の符号を付すことにより説明を省略する。
【００２７】
このように構成された容量制御弁３１においては、ベローズ６はクランク圧力を感知するが、弁体９と一体に動く隔壁３２の吸入圧力受圧面積を大きくして、実質的に吸入圧力に応答して伸縮動作し、それによって弁体９を軸方向に移動制御できるようにされており、図２に示した容量制御弁１と同じように制御可能となっている。
【００２８】
そして、この容量制御弁３１においても、弁体９は、下端側の弁ケーシング３３と伝達ロッド部１０との摺動部と、上端側の弁体９に固定されたプランジャー２１と筒状部材２５との摺動部との、合計２箇所の摺動部によって移動可能に支持されており、この摺動部の数が従来よりも大幅に減少されて摺動抵抗が大幅に低減され、弁体９のスムーズな動きが確保され、円滑で安定した信頼性の高い吐出容量制御が可能になる。
【００２９】
また、隔壁３２の外周面と弁ケーシング３３の内周面との間の隙間３４を固定オリフィス部としたため、圧縮機の別の場所に固定オリフィス部を設ける必要がなくなり、従来構造に比べ、とくにシリンダブロックやその周辺部の加工の簡略化が可能となり、圧縮機全体としても加工の簡略化、コストダウンをはかることができる。
【００３０】
【発明の効果】
以上説明したように、本発明に係る可変容量圧縮機によれば、容量制御弁における隔壁部に、非接触構造の隙間からなる流路を形成し、容量制御弁内の摺動部の数を減らして弁体の動きに対する摺動抵抗を大幅に低減できるようにしたので、安定して円滑な吐出容量制御動作を行わせることができる。
【００３１】
また、上記隙間を固定オリフィス部とすれば、圧縮機の別の場所に固定オリフィス部を設ける必要がなくなり、それによってシリンダブロックやその周辺部の加工を簡略化でき、全体としてのコストダウンをはかることもできる。
【図面の簡単な説明】
【図１】本発明の第１実施態様に係る可変容量圧縮機の縦断面図である。
【図２】図１の可変容量圧縮機の容量制御弁部の拡大縦断面図である。
【図３】本発明の第２実施態様に係る可変容量圧縮機の容量制御弁部の縦断面図である。
【図４】従来の可変容量圧縮機の容量制御弁部の縦断面図である。
【符号の説明】
１、３１  容量制御弁
２、３３  弁ケーシング
３  感圧室
４、５  ばね
６  感圧部材としてのベローズ
７  孔
８  調整部材
９  弁体
１０  伝達ロッド部
１１  弁部
１２  弁室
１３  伝達ロッド部
１４、３４  隔壁部における隙間（固定オリフィス部）
１５、３２  隔壁
１６、３５、３６  連通路
１７  圧力室
１８  隙間
１９  固定鉄心
２０  ばね
２１  プランジャー
２２  電磁コイル
２３  ソレノイド部
２４  ハウジング
２５  筒状部材
５０  可変容量圧縮機
５１  シリンダブロック
５１ａ  シリンダボア
５２  フロントハウジング
５２ａ  ボス部
５３  リアハウジング
５５  クランク室
５６  圧縮機主軸
５７  斜板
５８  駆動体
５９  連結部
６０  ベアリング
６１  ばね
６２  ピストン
６２ａ  くぼみ
６３  シュー
６４  吐出室
６５  吸入室
６６、６７、６８  連通路
７０  電磁クラッチ
７１  ロータ
７２  電磁石装置
７３  クラッチ板
７４  固定部材
７５、７６、７７  軸受
８１  吸入口
８２  吐出口
８４  気室
【図１】
0004162419.tif 000002
【図２】
0004162419.tif 000003
【図３】
0004162419.tif 000004
【図４】
0004162419.tif 000005